(57)【特許請求の範囲】
【請求項１】
器体を二分割して部品を横嵌め式に配設するボディ及びカバーと、これらのボディ及びカバーの隔壁間に挿通される端子板と、この端子板を囲む形で器体内に配設される箱型端子枠と、この箱型端子枠の上面から螺合可能に配設されて前記箱型端子枠と端子板との間で配線部材を接続する端子螺子とを備えた回路遮断器において、
ボディ及びカバー間が離れる方向に力が加わった際、引っ掛かるように機能する凹凸係合部が、ボディと端子板との間及びカバーと端子板との間に備えられたことを特徴とする回路遮断器。
【請求項２】
前記端子板は、前記箱型端子枠を挿通する接続部と当該接続部から前記器体側面に沿って備えられる立上片と当該立上片の両端に突出した突出片とを有し、前記凹凸係合部は、前記器体側面に沿って前記突出片に形成された凸部と、前記器体側面に形成され前記凸部を填める凹部とからなることを特徴とする請求項１記載の回路遮断器。
【請求項３】
前記凸部は、前記突出片の基端部近郊から垂下し、前記突出片の端部に向けて傾斜するように形成されたことを特徴とする請求項２記載の回路遮断器。
【発明の詳細な説明】
【０００１】
【発明が属する技術分野】
本発明は、回路遮断器に関する。具体的には、ボディ及びカバーにより器体を二分割して部品を横嵌め式に配設する回路遮断器に関する。
【０００２】
【従来の技術】
従来例の回路遮断器として、例えば特開２００１−２８２２５号公報に示されたものがある。この回路遮断器は、器体を二分割して部品を横嵌め式に配設したものである。器体は、ボディ及びカバーとから構成され、その上側面には電源側端子部が形成され、その下側面には負荷側端子部が形成されている。ボディ及びカバーの上側面には、電源側の電線やブスバーなどの配線部材が挿入される開口部となるコ字状の上側面角溝が形成されている。また、ボディ及びカバーの下側面には、それぞれ負荷側の電線やブスバーなどの配線部材が挿入される開口部となるコ字状の下側面角溝が形成されている。
【０００３】
両端子部は、ボディ及びカバーの隔壁間に挿通される端子板と、この端子板を囲む形で器体内に配設される箱型端子枠と、この箱型端子枠に器体の上面から螺合可能に配設されて端子板と箱型端子枠との間で配線部材を接続する端子螺子及び箱型端子枠の枠内に納められる金属部材を備える。
【０００４】
図８はこのような構成をした端子部の一例を示すものであって、上記特開２００１−２８２２５号に示す回路遮断器における負荷側端子部の分解斜視図、図９は当該負荷側端子部の正面図である。なお、図８においては図面上方が器体の上面を示し、図面手前側に見えるボディ２の側面が器体下側面を示している。
【０００５】
箱型端子枠１０は、板金を折り曲げて断面四角状の筒状に形成されてなり、上面に螺子孔１１を有する。端子板２０は、器体の上面及び下面に伸びる板状に形成された連結部２１と、この連結部２１の上面側から下側面側に延出し箱型端子枠１０内に挿通される接続部２２と、上面及び下面方向に伸びる板状に形成され下端が基端となって連結部２１に固着されるバイメタル２３と、接続部２２の下側面側で器体側面に沿って器体上面側に曲折形成された立上片２４とを有する。立上片２４は、左右側面側に延設された突出片２５を有し、下側面正面から見て略Ｔ字形状に形成されている。この立上片２４は、ボディ２及びカバー３の下側面角溝６，７の上面側周囲に形成された凹所８ａ，８ｂから構成される填め込み用凹所８に填められる。
【０００６】
ボディ２内面及びカバー３内面における下側面側には、箱型端子枠１０及びこれに螺合された端子螺子１２用の収納室を設けるための隔壁４がそれぞれ形成され、これらの隔壁４には、それぞれ端子板２０を填め込むための溝４ａが形成されている。また、ボディ２及びカバー３の上面には、端子螺子１２の頭部側に位置するよう、ドライバの先端挿通用の丸孔となる半円弧状の丸溝９ａ，９ｂがそれぞれ形成されている。
【０００７】
箱型端子枠１０及び端子板２０は、ボディ２及びカバー３の４隅に設けられた螺子挿通孔１５から螺子を締め付けることにより、ボディ２及びカラー３並びに２つの隔壁４に囲まれた収納室内に配設される。また、箱型端子枠１０の枠内に挿通された端子板２０の立上片２４は、填め込み用凹所８に填められる。これにより、箱型端子枠１０の枠孔が、ボディ２及びカバー３の下側面角溝６，７により形成される開口部５に位置する状態で、その開口部５に負荷側の配線部材を挿入し、端子螺子１２をドライバなどで例えば時計回りに回せば、箱型端子枠１０が上面側に移動するので、配線部材を接続部２２の下面に圧着させることができる。なお、１３は配線部材を接続部２２に確実に圧着させる金属部材である。
【０００８】
また、電源側端子部の構造も負荷側端子部とほぼ同様な構造であり、図示しないが、端子板が接続部の下側面側で下面側に曲折形成され固定接点が固着された端子中央部と該端子中央部の下面側から下面下側面側に延出したアーク走行板部を有する点で異なっているのみである。
【０００９】
【発明が解決しようとする課題】
このような回路遮断器においては、４つの螺子挿通孔１５から螺子を挿通・締結することによりボディ２、カバー３間を結合しているが、箱型端子枠１０とは離れた位置で結合しているため、箱型端子枠１０の上面から端子螺子１２を締めつけて配線部材を接続すると、螺子１２を強く締め付けることにより箱型端子枠１０が回転しようとしてボディ２、カバー３間が開き、両者の間に隙間を生じる場合がある。この結果、当該隙間からゴミやホコリが入り易くなり、入り込んだホコリなどや端子板２０のがたつきによる接触不良を生じるおそれがあった。また、場合によっては、金属部材１３や端子板２０が外れてしまうこともあった。
【００１０】
本発明は上記従来技術の問題点に鑑みてなされたものであって、端子螺子の強い締め付けによっても、ボディとカバー間に隙間を生じず、接触不良や端子部品が外れるおそれの少ない回路遮断器を提供することにある。
【００１１】
【課題を解決するための手段】
本発明の回路遮断器は、器体を二分割して部品を横嵌め式に配設するボディ及びカバーと、これらのボディ及びカバーの隔壁間に挿通される端子板と、この端子板を囲む形で器体内に配設される箱型端子枠と、この箱型端子枠の上面から螺合可能に配設されて前記箱型端子枠と端子板との間で配線部材を接続する端子螺子とを備えた回路遮断器において、ボディ及びカバー間が離れる方向に力が加わった際、引っ掛かるように機能する凹凸係合部が、ボディと端子板との間及びカバーと端子板との間に備えられたことを特徴としている。
【００１２】
例えば、前記箱型端子枠を挿通する接続部と当該接続部から前記器体側面に沿って備えられる立上片と当該立上片の両端に突出した突出片とを有する端子板を用いることにし、前記凹凸係合部を、前記器体側面に沿って前記突出片に形成された凸部と、前記器体側面に形成され前記凸部を填める凹部とから構成できる。
【００１３】
あるいは、前記突出片の基端部近郊から垂下し、前記突出片の端部に向けて傾斜するように前記凸部を形成することもできる。
【００１４】
【発明の実施の形態】
図１は本発明の第１の実施形態に係る回路遮断器における負荷側端子部の分解斜視図、図２は当該回路遮断器における凹凸係合部を示す分解斜視図、図３は当該凹凸係合部の正面図である。
【００１５】
本発明の回路遮断器は、ボディ２及びカバー３からなる器体１内部に横嵌め式に配設された箱型端子枠１０と、当該端子枠に挿通された端子板２０と、前記箱型端子枠１０の上面から螺合可能に配設されて前記箱型端子枠１０と端子板２０との間で配線部材を接続する端子螺子１２とを備えており、この回路遮断器にはボディ２及びカバー３間が離れる方向に力が加わったときに、引っ掛かるように機能する凹凸係合部が、ボディ２及びカバー３と端子板２０との間に備えられている点で、従来の回路遮断器と異なるものである。従って、ここでは、凹凸係合部についてのみ説明することとし、その他の構成については従来例と同様であるためその説明は省略する。
【００１６】
凹凸係合部は、例えば、器体１側面に沿って端子板２０の突出片２５に形成された凸部２５ａと、器体１側面に形成され前記凸部２５ａを填めるための凹部８ｃとから構成される。この第１の実施形態においては、前記凸部２５ａは立上片２４から器体１左右側面側に延設された突出片２５の左右両端部に形成されており、前記突出片２５の端部から器体１下面方向に垂下し、前記突出片２５の基端部に向けて傾斜する逆三角形状に形成されている。一方、凹部８ｃは、前記凸部２５ａを填めることができるよう、下側面角溝６，７の上面側周囲に形成された凹所８ａ，８ｂの左右側面側から垂下し、ボディ２及びカバー３の内面側に傾斜する逆三角形状に形成されている。こうして突出片２５に形成された凸部２５ａは、図３に示す如く、回路遮断器の組立時に上記凹部８ｃに填められ、配線部材を挿入するための開口部５が器体１に形成される。
【００１７】
この結果、端子螺子１２の締め付けによってボディ２とカバー３間が開かれようとすると、ボディ２及びカバー３と端子板２０の間で形成された凹凸係合部に引っ掛かろうとして、両者間の隙間形成が防止される。また、この凹凸係合部では、突出片２５の左右両端部から垂下して凸部２５ａが形成されているので、凸部２５ａの垂下方向長さを十分に長く形成でき、係合域を大きくすることができる。この結果、ボディ２とカバー３間がより開きにくい状態とされる。
【００１８】
次に、本発明の第２の実施形態について説明する。図４は第２の実施形態に係る回路遮断器における凹凸係合部を示す分解斜視図、図５は当該凹凸係合部の正面図である。この凹凸係合部における凸部２５ａは、突出片２５の基端部近郊から器体１下面方向に垂下し、前記突出片２５の左右端部に向けて傾斜する逆三角形状に形成されている。一方、凹部８ｃは、凹所８ａ，８ｂの内面側下端から器体１下面方向に垂下し、凹所８ａ，８の左右側面側に傾斜する逆三角形状に形成されている。こうして図５に示す如く、突出片２５に形成された凸部２５ａは、回路遮断器の組立時にボディ２及びカバー３の下側面に形成された凹部８ｃに填められる。
【００１９】
このような形状に凹凸係合部を構成しても、ボディ２とカバー３間の隙間形成を防止できる。この場合には、凸部２５ａは、突出片２５の基端部側で長くなり突出片２５の左右両端側で短くなった逆三角形状となっているため、凸部２５を凹部８ｃに係合させやすく、第１の実施形態に比べて器体１の組立が容易に行える。また、ボディ２及びカバー３間が開こうとした場合に凸部２５ａが凹部８ｃに係合する領域が、第１の実施形態に比べて大きくなるため、より一層両者間が開きにくいものとなる。
【００２０】
このように、本発明の回路遮断器においては、ボディ２とカバー３間が離れる方向に力が加わった時に引っ掛かるように機能する凹凸係合部を備えているので、ボディ２とカバー３間に隙間が出来にくくなり、ホコリ等の侵入による接触不良や部品外れを確実に防止できる。
【００２１】
図６は、第３の実施形態である凹凸係合部の正面図である。この凹凸係合部は、突出片２５に器体１上面方向に延出した凸部２５ａと、器体１下側面に形成された凹部８ｃとから構成されたものである。この凸部２５ａは、突出片２５の左右両端部から突出片２５の中央上方に傾斜し、突出片２５の中央領域に向けて垂下する三角形状に形成されたものである。このように、凸部２５ａ及び凹部８ｃを器体１上面側に設けて凹凸係合部を構成することもできる。また、図示はしないが、突出片２５の左右両端部から上昇し、突出片２５の中央方向に傾斜する三角形状となる凸部２５ａを形成することもできる。
【００２２】
次に第４の実施形態である凹凸係合部の正面図を図７に示す。この凹凸係合部は、器体１下側面に形成した凸部８ｄと、突出片２５に形成され前記凸部８ｄを填める凹部２５ｂとから構成されたものである。凸部８ｄは、ボディ２及びカバー３の凹所８ａ，８ｂの下面側中央付近から器体１上面側に上昇し、ボディ２及びカバー３内面下方側に傾斜する三角形状に形成され、凹部２５ｂは当該凸部８ｄを填められるよう、突出片２５の下面側中央付近から器体１上面側に上昇し、突出片２５の基端部に傾斜する三角形状に形成されている。このような凹凸係合部においても、ボディ２及びカバー３間が開かれる方向に力が加わった場合には引っ掛かろうとして、両者間が開くのを防止できる。また、ボディ２及びカバー３間が離れる方向に力が加わった際、引っ掛かるのであれば、突出片２５の基端部から器体１上面側に上昇し、突出片２５の下面側中央に傾斜する三角形状に凹部２５ｂを形成したり、突出片２５の器体１上面側に凹部２５ｂを形成することもできる。
【００２３】
このように、ボディ２とカバー３との間が離れる方向に力が加わった際、引っ掛かるものであれば、凹凸係合部の形態は問われるものでない。このような凹凸係合部を備えることにより、強く端子螺子１２を締め付けても、ボディ２とカバー３との間が開かれず、ホコリ等による接触不良、金属部材１３や立上片２４の外れによる接触不良を防止できる。
【００２４】
また、上記各実施形態では、特開２００１−２８２２５号に示された負荷側端子部を例にして説明したが、電源側端子部にも適用できるものであり、端子部の構造として上記各実施形態と同様なものであれば、その他の構造については特に限定されるものではない。
【００２５】
【発明の効果】
本発明の請求項１に係る回路遮断器によると、器体を二分割して部品を横嵌め式に配設するボディ及びカバーと、これらのボディ及びカバーの隔壁間に挿通される端子板と、この端子板を囲む形で器体内に配設される箱型端子枠と、この箱型端子枠の上面から螺合可能に配設されて前記箱型端子枠と端子板との間で配線部材を接続する端子螺子とを備えた回路遮断器において、ボディ及びカバー間が離れる方向に力が加わった際、引っ掛かるように機能する凹凸係合部が、ボディと端子板との間及びカバーと端子板との間に備えられているので、端子螺子を強く締め付けてもボディとカバーとの間が開かず、ホコリ等の侵入や端子板等の外れを防止できる。これにより、接触不良を起こす機会が少なくなり、製品の信頼性をより一層図ることができる。
【００２６】
本発明の請求項２に係る回路遮断器によると、請求項１記載の場合に加えて、前記端子板は、前記箱型端子枠を挿通する接続部と当該接続部から前記器体側面に沿って備えられる立上片と当該立上片の両端に突出した突出片とを有し、前記凹凸係合部は、前記器体側面に沿って前記突出片に形成された凸部と、前記器体側面に形成され前記凸部を填める凹部とからなるので、両方の突出片間のボディ及びカバー間の間隔が大きく取れて、ボディとカバーとの間がさらに開きにくくなり、隙間がより一層確実に生じにくくなり、その結果、ボディ及びカバーが壊れにくいものとなる。
【００２７】
本発明の請求項３に係る回路遮断器によると、請求項２記載の場合に加えて、前記凸部は、前記突出片の基端部近郊から垂下し、前記突出片の端部に向けて傾斜するように形成されたので、端子板を器体に横嵌め式に填めるときに凸部は凹部に確実に填めやすくなり、しかも、抜けにくくすることができるものとなる。
【図面の簡単な説明】
【図１】第１の実施形態である回路遮断器における負荷側端子部の分解斜視図である。
【図２】図１に示す回路遮断器における凹凸係合部の分解斜視図である。
【図３】図１に示す負荷側端子部の正面図である。
【図４】第２の実施形態である回路遮断器における凹凸係合部の分解斜視図である。
【図５】図４に示す凹凸係合部の正面図である。
【図６】第３の実施形態である回路遮断器における凹凸係合部の正面図である。
【図７】第４の実施形態である回路遮断器における凹凸係合部の正面図である。
【図８】従来例の回路遮断器における負荷側端子部の分解斜視図である。
【図９】図８に示す負荷側端子部の正面図である。
【符号の説明】
１  器体
２  ボディ
３  カバー
８ｃ  凹凸係合部である凹部
８ｄ  凹凸係合部である凸部
１０  箱型端子枠
２０  端子板
２４  立上片
２５  突出片
２５ａ  凹凸係合部である凸部
２５ｂ  凹凸係合部である凹部
【図１】
0003800105.tif 000002
【図２】
0003800105.tif 000003
【図３】
0003800105.tif 000004
【図４】
0003800105.tif 000005
【図５】
0003800105.tif 000006
【図６】
0003800105.tif 000007
【図７】
0003800105.tif 000008
【図８】
0003800105.tif 000009
【図９】
0003800105.tif 000010